(57)【特許請求の範囲】
【請求項１】
各消火区画に配置された閉鎖型のスプリンクラーヘッド及び火災感知器と、
前記スプリンクラーヘッドへ消火用水を供給する制御弁を制御するスプリンクラー制御盤と、
前記火災感知器からの火災信号を受信して前記スプリンクラー制御盤に出力する火災受信盤とを備え、
定常監視状態においては、前記制御弁を閉状態とすると共に、該制御弁から前記スプリンクラーヘッドに至る管路中に気体又は消火用水を加圧供給し、
前記火災感知器から火災信号が出力された場合、前記スプリンクラー制御盤は前記制御弁を開状態として前記スプリンクラーヘッドへ消火用水を供給するスプリンクラー消火設備において、
前記スプリンクラー制御盤は、前記火災感知器から前記火災受信盤に対して前記火災信号を送出するための感知器回線を用いて、前記火災受信盤が正常であるか否かを検出する機能検出手段を備え、
前記火災受信盤は、前記感知器回線に流れる電流の有無を検出することにより該感知器回線の断線状態を検出し、該断線状態が検出された場合には該断線状態に対応したパルスの障害信号を前記スプリンクラー制御盤に対して出力し、
前記機能検出手段は、前記感知器回線を所定タイミングで所定間隔にて擬似的に断線状態とすることにより該感知器回線を流れる電流を所定のパルス状態とし、前記火災受信盤から送出される障害信号が前記所定のパルス状態に対応するか否かを判断することにより、前記火災受信盤が正常であるか否かを検出し、
前記スプリンクラー制御盤は、前記スプリンクラーヘッドに加圧供給された気体又は消火用水の圧力低下が検出された場合であって、該圧力低下の検出されたスプリンクラーヘッドに対応する火災感知器からの火災信号がない場合において、前記機能検出手段にて前記火災受信盤が正常でないことが検出された場合には、前記制御弁を開状態として前記スプリンクラーヘッドへ消火用水を供給すること、
を特徴とするスプリンクラー消火設備。
【請求項２】
前記火災受信盤は、前記断線状態が所定時間以上継続して検出された場合にのみ前記障害信号を出力し、
前記機能検出手段は、前記感知器回線を前記所定時間以上継続して断線状態とすることを特徴とする請求項１記載のスプリンクラー消火設備。
【請求項３】
前記感知器回線を断線状態とするためのスイッチを前記感知器回線の終端側に設け、
前記機能検出手段は、前記スイッチを介して前記所定のパルス状態を生成すること、
を特徴とする請求項１又は２記載のスプリンクラー消火設備。
【発明の詳細な説明】
【０００１】
【発明の属する技術分野】
本発明は、火災発生時にスプリンクラーヘッドから消火用水を放水して消火を行うスプリンクラー消火設備に関し、特に火災感知器の火災信号等に基づいてスプリンクラーの放水を制御する予作動式のスプリンクラー消火設備に関する。
【０００２】
【従来の技術】
この種の予作動式のスプリンクラー消火設備は概略的に、スプリンクラーへの消火用水の供給を制御する制御弁を備え、定常監視状態においてはこの制御弁を閉状態とし、火災感知器から火災信号が出力された場合等に制御弁を開状態に制御して放水を行うように構成されている。このような予作動式のスプリンクラー消火設備は、火災感知器からの火災信号のみに基づいて制御弁の開制御を行う単一連動タイプのスプリンクラー消火設備（例えば特開平４−２４２６７１号）と、制御弁からスプリンクラーヘッドに至る管路中に加圧供給した空気・窒素等の気体や消火用水の圧力低下と、火災感知器からの火災信号との両方が得られた場合に制御弁の開制御を行う二重連動タイプのスプリンクラー消火設備（例えば特開昭６２−５７５６９号）とに大別される。
【０００３】
このうち従来の予作動式のスプリンクラー消火設備の全体構成の一例を図３に示す。この図３においてスプリンクラー消火設備は、主として集合住宅の各住戸を１つの消火区画として放水を行うもので、各消火区画の各部屋内には閉鎖型のスプリンクラーヘッド５１が配置されており、このスプリンクラーヘッド５１には分岐管５２を介して給水本管５３から消火用水が供給される。
【０００４】
この給水本管５３の一端は消火ポンプ５４を介して貯水槽５５に接続されている。また給水本管５３には圧力タンク５６が分岐接続されており、この圧力タンク５６によって給水本管５３内の管内圧力が規定圧に保持されている。この圧力タンク５６には圧力スイッチ５７が設けられており、スプリンクラーヘッド５１が作動して給水本管５３の管内圧力が所定以下に低下したことが圧力スイッチ５７にて検出されると、ポンプ制御盤５８にてモータ５９が駆動されて消火ポンプ５４が運転され、消火用水が給水本管５３に供給される。これによって放水が継続して行われる。また給水本管５３の他端は高架水槽６０に引き込まれている。そして高架水槽６０から給水本管５３に対して消火用水が供給され、給水本管５３に消火用水を常時充満させている。
【０００５】
また分岐管５２には、制御弁６１と通液装置６２とが設けられている。このうち制御弁６１は分岐管５２から分岐して取り出した水圧を利用して流水検知装置７７の開閉を行うことにより消火用水の給水を制御するものであり、定常監視状態において閉状態に維持されている（例えば特開平６−７９０１３の形態）。また通液装置６２は制御弁６１の一次側と二次側とをバイパスするものであり、消火用水を小流量に絞りつつ通液させる。したがって定常監視状態において、流水検知装置７７からスプリンクラーヘッド５１に至る分岐管５２の内部には、通液装置６２を介して消火用水が充満されている。このように通液装置６２を設けるのは、スプリンクラーヘッド５１作動時における放水動作を迅速に行うため及びスプリンクラーヘッド５１等に加わる水圧を低減するため等である。したがってこれらを考慮しなくてよい場合には、通液装置６２を省略してもよい。
【０００６】
なお分岐管５２の端末側には末端試験弁６６、オリフィス６７、及び圧力計６８が設けられており、末端試験弁６６を開くとオリフィス６７にて決定される量の消火用水が分岐管５２に流れ、流水状態を疑似的に作り出すことができる。
流水検知装置７７に設けた圧力検出スイッチ７８は、制御弁６１の開動作によって流水検知装置７７が作動したことをスプリンクラー制御盤６４に移報するものである。また分岐管５２に設けた圧力検出スイッチ７９は、流水検知装置７７からスプリンクラーヘッド５１に至る分岐管５２の水圧を監視するもので、スプリンクラーヘッド５１が火災により作動したときの消火用水の放出によって発生する圧力低下が検出されると、圧力検出スイッチ７９から圧力低下信号が出力される。この圧力低下信号はスプリンクラー制御盤６４に出力される。
【０００７】
また各消火区画の各部屋内には火災感知器７０が配置されている。この火災感知器７０は感知器回線７１を介して火災受信盤７２に接続されており、火災を感知した際に感知器回線７１を低インピーダンス短絡することによって火災信号が出力される。火災感知器７０から出力された火災信号は、火災受信盤７２から、管理人室等にある住棟受信盤７３に入力される。また同時に、火災受信盤７２はスプリンクラー制御盤６４に対して移報信号を出力する。なお、制御弁６１、通液装置６２、流水検知装置７７、圧力検知スイッチ７８、７９及び仕切弁８０は、一体に組み込まれているものが多い。
【０００８】
このように構成されたスプリンクラー消火設備において、スプリンクラー制御盤６４は、定常監視状態で制御弁６１を閉状態に維持し、火災受信盤７２からの火災信号の有無を監視している。
そして火災受信盤７２から火災信号が出力された場合、単一連動タイプのスプリンクラー消火設備の場合は、制御弁６１を開状態に制御する。これにより流水検知装置７７が開く。その後、火災によって生じた熱を受けてスプリンクラーヘッド５１が自動的に作動することにより消火用水が放水される。このように放水が行われ給水本管５３の管内圧力が所定以下に低下したことが圧力スイッチ５７にて検出されると、ポンプ制御盤５８がモータ５９を駆動して消火ポンプ５４を運転する。このように消火ポンプ５４が運転されることによって、スプリンクラーヘッド５１による放水が継続的に行われる。そして火災が鎮火すると、スプリンクラー制御盤６４は制御弁６１を閉状態に制御する。
【０００９】
また二重連動タイプのスプリンクラー消火設備に設定された場合は、スプリンクラー制御盤６４は火災受信盤７２からの火災信号と圧力検出スイッチ７９からの圧力低下信号とを監視している。この二重連動タイプの場合は、スプリンクラーヘッド５１の作動による圧力低下信号と火災信号との両方を受信しているときに制御弁６１を開制御して流水検知装置７７を開き、放水を行う。
【００１０】
次に、従来の別の予作動式のスプリンクラー消火設備の全体構成の一例を図４に示す。このスプリンクラー消火設備における基本的構成は上述の図３の消火設備と同様であるが、通液装置６２が設けられていない一方、流水検知装置７７にはコンプレッサー７４が接続されている。このコンプレッサー７４は加圧空気を供給するもので、この加圧空気はバルブ７５、オリフィス７６及び流水検知装置７７を介して分岐管５２に供給される。また圧力検出スイッチ７９においては、スプリンクラーヘッド５１が火災による熱を受けて作動したときの加圧空気の放出によって発生する圧力低下が検出されると、圧力低下信号が出力される。この圧力低下信号はスプリンクラー制御盤６４に入力される。
【００１１】
また火災受信盤７２においては、感知器回線７１の断線の有無が監視され、断線が発生している場合には、スプリンクラー制御盤６４に対して障害信号が出力される。具体的には、火災受信盤７２においては感知器回線７１に流れる微少電流が常時検出されており、微少電流が検出されなくなった場合には断線が発生したものと判断され、障害信号が出力される。
【００１２】
このように構成されたスプリンクラー消火設備において、スプリンクラー制御盤６４は、定常監視状態で制御弁６１を閉状態に維持する。
そして単一連動タイプの場合は火災受信盤７２からの火災信号の有無を監視し、この火災信号が確認されたときに制御弁６１を開状態にし、流水検知装置７７を開きスプリンクラーヘッド５１へ消火用水を供給する。
また二重連動タイプの場合は火災信号の有無と、圧力検出スイッチ７８からの圧力低下信号の有無を監視している。そして火災信号と圧力低下信号との両方が確認されたときに制御弁６１を開状態に制御し、スプリンクラーヘッド５１による放水が行われる。このように二重連動タイプの場合には火災信号と圧力低下信号とのＡＮＤ条件で放水を行うことによって、分岐管５２内に誤って消火用水が充水されることが防止される。
【００１３】
一方、圧力低下信号のみが確認され、所定時間経っても火災信号が確認できない場合には、感知器回線７１の断線の可能性があるために障害信号の有無を確認する。そして障害信号が出力されない場合には、火災が実際に発生しておらず圧力低下はスプリンクラーヘッド５１の破損等によるものと判断して、制御弁６１を閉状態に維持して放水を行わない。また障害信号が出力された場合には、火災が実際に発生しているにも関わらず感知器回線５２の断線によって火災信号が伝達されないものと判断して、制御弁６１を開状態に制御して放水を行う。
なお、この図３、図４の予作動式のスプリンクラー消火設備は共同住宅用のシステムを示したものであるが、一般ビル用にも適用されているシステムで、その場合は防災センター等に火災受信盤７２を一台のみ設けて、火災受信盤７２が全監視区域の火災を監視する。
【００１４】
【発明が解決しようとする課題】
しかしながら従来のこのような予作動式のスプリンクラー消火設備においては、火災感知システムにおける障害の有無を十分に検出することができない結果、火災が発生しているにも関わらず放水を行うことができない場合があった。
【００１５】
すなわち上述のような予作動式のスプリンクラー消火設備においては、上述のように感知器回線の断線を検出しているものの、その他の異常については検出することができず、やはり火災が発生しているにも関わらず放水を行うことができない場合があった。
すなわち火災受信盤７２の電源が遮断されていたり、火災受信盤７２の内部の制御ＣＰＵ等に機能異常があった場合には、火災信号が出力されないばかりか、障害信号も出力されないことになる。このような場合、火災の熱によってスプリンクラーヘッド５１が正常に作動し、圧力が低下して圧力低下信号が出力されても、スプリンクラー制御盤６４は火災受信盤７２から火災信号及び障害信号のいずれも出力されていないために制御弁６１を閉状態に維持してしまい、火災が発生しているにも関わらず放水が行われないという危険性があった。
【００１６】
特に集合住宅用の火災受信盤は、コスト低減の観点からバックアップ電源等を備えることなく簡易に構成されることが多く、必ずしも信頼性に優れているとはいえない面があるため、上述のような火災受信盤の電源遮断等の可能性は無視できるものではなかった。また火災受信盤には上記コスト低減の要請が大きいため、火災感知器や火災受信盤自体の構成を変更することなく上記問題を解決することが要望されていた。
【００１７】
本発明は、従来のこのような予作動式のスプリンクラー消火設備における問題点に鑑みてなされたもので、簡易な構成により、火災受信盤の異常時にも放水を確実に行うことのできるスプリンクラー消火設備を提供することを目的とする。
【００１８】
【課題を解決するための手段】
上記従来のスプリンクラー消火設備における問題点を解決するために請求項１記載の本発明は、各消火区画に配置された閉鎖型のスプリンクラーヘッド及び火災感知器と、前記スプリンクラーヘッドへ消火用水を供給する制御弁を制御するスプリンクラー制御盤と、前記火災感知器からの火災信号を受信して前記スプリンクラー制御盤に出力する火災受信盤とを備え、定常監視状態においては、前記制御弁を閉状態とすると共に、該制御弁から前記スプリンクラーヘッドに至る管路中に気体又は消火用水を加圧供給し、前記火災感知器から火災信号が出力された場合、前記スプリンクラー制御盤は前記制御弁を開状態として前記スプリンクラーヘッドへ消火用水を供給するスプリンクラー消火設備において、前記スプリンクラー制御盤は、前記火災感知器から前記火災受信盤に対して前記火災信号を送出するための感知器回線を用いて、前記火災受信盤が正常であるか否かを検出する機能検出手段を備え、前記火災受信盤は、前記感知器回線に流れる電流の有無を検出することにより該感知器回線の断線状態を検出し、該断線状態が検出された場合には該断線状態に対応したパルスの障害信号を前記スプリンクラー制御盤に対して出力し、前記機能検出手段は、前記感知器回線を所定タイミングで所定間隔にて擬似的に断線状態とすることにより該感知器回線を流れる電流を所定のパルス状態とし、前記火災受信盤から送出される障害信号が前記所定のパルス状態に対応するか否かを判断することにより、前記火災受信盤が正常であるか否かを検出し、前記スプリンクラー制御盤は、前記スプリンクラーヘッドに加圧供給された気体又は消火用水の圧力低下が検出された場合であって、該圧力低下の検出されたスプリンクラーヘッドに対応する火災感知器からの火災信号がない場合において、前記機能検出手段にて前記火災受信盤が正常でないことが検出された場合には、前記制御弁を開状態として前記スプリンクラーヘッドへ消火用水を供給すること、を特徴として構成されている。
【００１９】
また請求項２記載の本発明は、請求項１記載の本発明において、前記火災受信盤は、前記断線状態が所定時間以上継続して検出された場合にのみ前記障害信号を出力し、前記機能検出手段は、前記感知器回線を前記所定時間以上継続して断線状態とすることを特徴として構成されている。
【００２０】
また請求項３記載の本発明は、請求項１又は２記載の本発明において、前記感知器回線を断線状態とするためのスイッチを前記感知器回線の終端側に設け、前記機能検出手段は、前記スイッチを介して前記所定のパルス状態を生成することを特徴として構成されている。
【００２２】
【発明の実施の形態】
以下、本発明のスプリンクラー消火設備の一実施形態について図面を参照して詳細に説明する。図１は本実施形態における予作動式のスプリンクラー消火設備の全体構成を示す図、図２はスプリンクラー制御のフローチャートである。
図１において本実施形態のスプリンクラー消火設備は、主として集合住宅の各住戸を１つの消火区画として放水を行うもので、各消火区画の各部屋内にはスプリンクラーヘッド１が配置されている。このスプリンクラーヘッド１は閉鎖型に構成され、火災による熱を受けた際にその内部の金属を溶融させること等によって自動的に開放し、放水を開始する。
【００２３】
このスプリンクラーヘッド１は分岐管２を介して給水本管３に接続されており、これら給水本管３及び分岐管２を介してスプリンクラーヘッド１に消火用水が供給される。
この給水本管３の一端は建屋の地下室等に引き込まれ、消火ポンプ４を介して貯水槽５に接続されている。また給水本管３には圧力タンク６が分岐接続されており、この圧力タンク６によって給水本管３を加圧することにより該給水本管３内の管内圧力が規定圧に保持されている。
【００２４】
この圧力タンク６には圧力スイッチ７が設けられており、スプリンクラーヘッド１が作動して給水本管３の管内圧力が所定以下に低下したことが圧力スイッチ７にて検出されると、ポンプ制御盤８にてモータ９が駆動されて消火ポンプ４が運転され、貯水槽５内の消火用水が給水本管３に継続して供給される。これによって放水が継続して行われる。なお消火ポンプ４が運転されている際には、その旨を示すポンプ運転信号がポンプ制御盤８から後述する住棟受信盤２４に対して出力される。
また給水本管３の他端は、建屋屋上等の高所に配置した高架水槽１０に引き込まれている。そして高架水槽１０から給水本管３に対して消火用水が自重にて供給され、給水本管３に消火用水を常時充満させている。
【００２５】
また給水本管３から引き出された分岐管２には、仕切弁３４と、制御弁１１と、流水検出装置１２と、コンプレッサー１４と、圧力検出装置１３、１７とが設けられている。
このうち制御弁１１は、分岐管２から分岐して取り出した水圧を利用して流水検知装置１２の開閉を行うことにより消火用水の給水を制御するものであり、具体的には後述するスプリンクラー制御盤２５の制御部２８の制御によってモータ駆動される電動弁として構成されている。この制御弁１１は、後述する定常監視状態において閉鎖状態に維持されている。
また流水検出装置１２の圧力検出装置１３は、制御弁１１の開動作によって流水検知装置１２が作動したことを検出するもので、流水検知装置１２から分岐された圧力検出装置１３に通じる配管内の水圧を測定し、この水圧が規定圧力以上のときに流水警報を出力する。
【００２６】
またコンプレッサー１４は、バルブ１５、オリフィス１６及び流水検知装置１２を介して、流水検知装置１２以降の分岐管２内に加圧空気を供給する。このようにオリフィス１６を設けるのは、コンプレッサー１４から供給される加圧空気の量を絞ることにより該加圧空気の供給を任意的に遅らせ、スプリンクラーヘッド１の開放等が生じた場合には分岐管２内に圧力低下が生じるようにするためである。この圧力低下は圧力検出装置１７にて検出され、圧力検出装置１７は分岐管２内の圧力が規定圧力以下になった時に圧力低下信号を出力する。
なお分岐管２の末端側には末端試験弁１８、オリフィス１９、及び圧力計３３が設けられており、末端試験弁１８を開くとオリフィス１９にて決定される量の消火用水が分岐管２に流れ、流水検出部１２を擬似的に作動させて試験運転を行うことができる。
【００２７】
また各消火区画の各部屋内には火災感知器２０が配置されている。この火災感知器２０は２重線路たる感知器回線２１及び端子ボックス２２を介して火災受信盤２３に接続されており、火災を感知した際に感知器回線２１を低インピーダンス短絡することによって火災信号を出力する。この火災信号は、火災受信盤２３に入力されて火災発生が表示される。また火災受信盤２３は住棟受信盤２４に火災信号を出力し、火災警報が行われる。
【００２８】
この火災受信盤２３は、消火区画となる各住戸毎に設けられるもので、火災感知器２０から出力された火災信号をスプリンクラー制御盤２５に対して移報信号として出力する。
また火災受信盤２３においては、感知器回線２１の断線が監視される。そして断線が発生している場合には、火災受信盤２３からスプリンクラー制御盤２５に対して障害信号が出力される。具体的には、火災受信盤２３においては感知器回線２１に流れる微少電流が常時検出されており、微少電流が検出されなくなった場合には断線が発生したものと判断されて障害信号が出力される。この障害信号は、微少電流が検出されていない間は継続して出力され、微少電流が再び検出された場合には出力が停止される。すなわち障害信号は、微少電流に対応したパルスにて出力される。
【００２９】
次に、スプリンクラー制御盤２５の構成について説明する。
上述のように、流水検出装置１２の圧力検出装置１３から出力された流水警報、圧力検出装置１７から出力された圧力低下信号、火災受信盤２３から出力された火災信号及び障害信号は、スプリンクラー制御盤２５に入力される。
このスプリンクラー制御盤２５は、消火区画となる各住戸毎に設けられるもので、これら圧力低下信号、火災信号及び障害信号等に基づいて制御弁１１の制御を行う。
【００３０】
このような機能を実現するためスプリンクラー制御盤２５には、感知器回線２１を断線状態とするためのスイッチ２６と、火災受信盤２３が正常であるか否かを検出する機能検出手段たる機能検出部２７を備える制御部２８とが設けられている。
【００３１】
このうちスイッチ２６は感知器回線２１中に配置されるもので、機能検出部２７の制御による所定のタイミングにて所定間隔でオンオフされ、感知器回線２１を断線状態又は通線状態とする。これによって感知器回線２１を流れる微少電流が所定のパルス状態とされる。特に本実施形態においてスイッチ２６は、スプリンクラー制御盤２５内に配置された感知器回線２１の終端抵抗Ｒ１の下流側に設けられている。したがって火災感知器２０から出力された火災信号はスイッチ２６のオンオフ状態に関係なく感知器回線２１を介して火災受信盤２３に到達し、火災感知を不用意に妨げることがない。
【００３２】
また機能検出部２７は、スイッチ２６を上述のようにオンオフ駆動し、またこの際に火災受信盤２３から出力される障害信号を監視する。そして火災受信盤２３から出力された障害信号が所定のパルス状態（スイッチ２６のオンオフにて生じるパルス状態）に対応するか否かを判断する。そして障害信号が所定のパルス状態に対応する場合には、火災受信盤２３が正常であると判断する。一方、障害信号が全く出力されない場合や、出力された障害信号が所定のパルス状態に対応しない場合には、火災受信盤２３に電源遮断やＣＰＵ異常等の機能異常がある（火災受信盤２３が正常でない）ものと判断する。
【００３３】
またスプリンクラー制御盤２５からは、後述する住棟受信盤２４に対し、流水検出装置１２の作動状態や制御弁１１の開閉状態等の各種状態に関する状態信号が端子ボックス２９を介して出力される。なおスプリンクラー制御盤２５には緊急停止スイッチ３０が設けられており、この緊急停止スイッチ３０が押された場合には制御弁１１が閉状態とされて放水が停止される。このスプリンクラー制御盤２５に対しては、端子ボックス３１を介して、ポンプ制御盤８に対するＡＣ１００ボルトの電源線３２から電源が供給される。
【００３４】
住棟受信盤２４は例えば管理人室等に配置されるもので、ポンプ制御盤８からポンプ運転信号、火災感知器２０から火災信号、あるいはスプリンクラー制御盤２５から状態信号が出力された際、これら信号が出力されている旨を示す図示しない表示灯を点灯させる。これによって管理人はスプリンクラー消火設備の運転状況を集約的に監視することができる。
【００３５】
次に、上記のように構成されたスプリンクラー消火設備におけるスプリンクラー制御について図２を参照して説明する。なお、図２のフローは二重連動タイプの予作動式スプリンクラー消火設備の場合のフローである。
まず制御の開始時（ステップＳ１）においては、スプリンクラー制御盤２５の制御部２８にデフォルト設定された初期制御によって制御弁１１は閉状態に制御され、制御弁１１からスプリンクラーヘッド１に至る分岐管２内部はコンプレッサー１４から供給された加圧空気で満たされている。その後、圧力低下信号と火災信号の有無が監視される（定常監視状態、ステップＳ２）。この監視初期状態においては、分岐管２内部は加圧空気で満たされているため、圧力検出装置１７からは圧力低下信号が出力されない。またこの時点では火災が発生していないため、火災信号は出力されていない。よってステップＳ２、Ｓ６によって制御弁１１の閉状態が維持される。
【００３６】
ここで始めにステップＳ２において火災信号が検出されると、制御部２８は圧力低下信号の有無を監視する（ステップＳ３）。そして圧力低下信号が出力されるまでステップＳ３、Ｓ６によって制御弁１１の閉状態が維持され、スプリンクラーヘッド１が作動して圧力低下信号が出力された場合には火災が発生したものと判断して制御弁１１を開状態に制御する（ステップＳ４）。したがって火災の熱によってスプリンクラーヘッド１が自動的に作動することにより、消火区画に対して放水が行われる。
このように放水が行われると、流水検出装置１３から流水警報が出力される。またスプリンクラーヘッド１が作動して給水本管３の管内圧力が所定以下に低下したことが圧力スイッチ７にて検出されると、ポンプ制御盤８がモータ９を駆動して消火ポンプ４を運転し、放水が継続して行われる。
【００３７】
その後、緊急停止スイッチ３０が押されたか否かが監視される（ステップＳ５）。緊急停止スイッチ３０が押された場合には、それ以上の放水を行う必要がないために、制御部２８から制御弁１１に対して制御信号が出力され制御弁１１が閉じられる（ステップＳ６）。これによってスプリンクラーヘッド１による放水が停止し、必要以上に放水を行うことが防止される。なお、この放水停止以外にも、操作員が流水検出装置１２のバルブを閉めることにより放水停止を行うこともできる。また後述するように、火災信号がオフすることで制御弁１１が閉鎖制御されて放水が停止する。
【００３８】
一方、定常監視状態において、火災信号が検出される前に圧力低下信号が検出されると、まず制御部２８は火災信号が出力されるか否かを確認する（ステップＳ７）。ここで火災信号が出力された場合には、火災が発生しておりスプリンクラーヘッド１の放水は正常なものであると判断して、ステップＳ４に移行して制御弁１１を開状態に制御して放水を開始する。その後は、上述のステップＳ５、Ｓ６と同じである。
【００３９】
またステップＳ７において火災信号が出力されない場合、実際には火災が発生しているにも関わらず、感知器回線２１が断線していて火災信号が出力されない可能性がある。この可能性を確認するため、制御部２８は火災受信盤２３からの障害信号の出力の有無を確認する（ステップＳ８）。そして障害信号が出力されている場合には感知器回線２１が断線していると断定でき、実際には火災が発生している可能性があると判断できるため、ステップＳ４に移行して制御弁１１を開状態に制御して放水を開始する。その後は、上述のステップＳ５、Ｓ６と同じである。したがって感知器回線２１が断線している場合でも、放水を開始することができる。
【００４０】
一方、ステップＳ８において障害信号の出力が確認されない場合には、実際に火災が発生していない可能性の他、実際には火災が発生しているにも関わらず火災受信盤２３の電源遮断やＣＰＵ異常等の機能異常によって火災信号や障害信号が出力されていない可能性がある。この可能性を確認するため、制御部２８の機能検出部２７は所定のタイミングにて所定間隔でスイッチ２６をオンオフ駆動し、感知器回線２１を断線状態又は通線状態とする（ステップＳ９）。これによって感知器回線２１を流れる微少電流が所定のパルス状態とされる。
【００４１】
また機能検出部２７は、このようにスイッチ２６を駆動した際、火災受信盤２３から出力される障害信号を監視し、障害信号が出力されるか否か、及び出力された障害信号が所定のパルス状態に対応するか否かを判断する（ステップＳ１０）。
そして障害信号が出力されないか、あるいは出力されても所定のパルス状態に対応しない場合には、火災受信盤２３の電源遮断やＣＰＵ異常等の機能異常が存在すると判断する。この場合、ステップＳ４に移行して制御弁１１を開状態に制御して放水を開始する。その後は、上述のステップＳ５、Ｓ６と同じである。したがって火災受信盤２３が故障している場合でも放水を行うことができる。
【００４２】
一方ステップＳ１０において、障害信号が出力され、またこの障害信号が所定のパルス状態に対応することが確認された場合には、火災受信盤２３の電源遮断やＣＰＵ異常等の機能異常が存在せず、実際に火災が発生していないと断定でき、放水はスプリンクラーの破損や漏水によるものと判断できるため、ステップＳ６に移行して制御弁１１を閉状態に維持する。したがって実際には火災が発生していないにも関わらずスプリンクラーヘッド１の破損等によって圧力低下信号が出力された場合には、放水が行われないので水損被害が発生することを防止することができる。
【００４３】
なおスプリンクラーヘッド１による放水中に火災受信盤２３が復旧し、火災信号の出力が停止したときには、ステップＳ２→Ｓ６によって制御弁１１が閉止制御され、放水が停止される。
このようなステップＳ１〜Ｓ１０により、火災信号、圧力低下信号の２つの信号の状態及び火災受信盤２３の状態を監視することで、スプリンクラー制御が行われる。
なお、図２のフローチャートは二重連動タイプのスプリンクラー消火設備の場合であったが、単一連動タイプのスプリンクラー消火設備の場合はステップＳ３の判断がなくなり、ステップＳ２で火災信号を受信したときは、すぐにステップＳ４の制御弁１１の開制御を行う。
【００４４】
さてこれまで本発明の一実施形態について説明したが、本発明は上記に示した実施形態に限定されず、その技術的思想の範囲内において種々異なる形態にて実施されてよいものであり、以下、これら異なる形態について説明する。
まず本発明の対象となるスプリンクラー消火設備は、一般住戸用に限定されず、例えば火災受信盤２３やスプリンクラー制御盤２５を監視室等に集約的に設けて構成されたビル設備に適用されてもよい。またスプリンクラー消火設備の全体構成としては、図示の構成以外にも異なる構成が採用されてよい。図１の構成では分岐管２に加圧空気を充満しているが、空気に限定されず、窒素等の消火性能のある気体を充満させても良い。また、図３に示したように、分岐管に消火用水を充満させるスプリンクラー消火設備にも本発明を適用できる。
【００４５】
また機能検出部２７による火災受信盤２３の正常性検出は、感知器回線２１を断線状態とすること以外の任意の方法で行われてよい。例えば感知器回線２１に対して特定周波数の電流を入力し、障害信号の周波数が特定周波数に対応するか否かを判断することによって行われてもよい。あるいは感知器回線２１に対して抵抗を断続的に接続して線路の抵抗値を増加させ、これによって線路電流を減少させて擬似的な断線状態として特定のパルス状態を作り出してもよい。その他、火災受信盤２３からスプリンクラー制御盤２５に対して、火災受信盤２３自身の正常性を示すための各種信号を出力することも可能である。ただし一般的に火災受信盤２３は低コストの観点から簡易に構成されており、新たな構成を付加することは困難である。また上記実施形態のように感知器回線２１を断線状態とすることが最も簡易な構成であり、したがって上記実施形態によれば最も低コストで最も信頼性の高い火災受信盤２３の正常性検出システムを構築することができる。
【００４６】
また上記実施形態においては、感知器回線２１からの微少電流が検出されなくなった場合には、断線が発生したものと判断されて火災受信盤２３から障害信号が出力されるものとして説明した。しかしながら障害判断の信頼性を向上させるため、火災受信盤２３にはいわゆる蓄積機能が備えられることがある。この蓄積機能とは、微少電流が所定時間（例えばＴ１）以上継続して検出された場合にのみ障害信号を出力する機能である。このような蓄積機能が火災受信盤２３に備えられている場合、機能検出部２７は蓄積機能に対応したスイッチ２６の駆動を行う。具体的に機能検出部２７は、スイッチ２６をＴ１以上の間隔で駆動する。この場合には、このスイッチ２６の駆動により作り出されたパルス状態に対応した障害信号が、火災受信盤２３から確実に出力され得る。したがって蓄積機能を有する火災受信盤２３に対してもその正常性を確実に検出することができる。またこのような蓄積機能は、機能検出部２７における火災受信盤２３の正常性検出や、その他の判断時に適宜採用されてよい。
【００４７】
【発明の効果】
これまで説明したように請求項１記載の本発明は、スプリンクラー制御盤は、火災感知器から火災受信盤に対して火災信号を送出するための感知器回線を用いて、火災受信盤が正常であるか否かを検出する機能検出手段を備え、スプリンクラーヘッドに加圧供給された気体又は消火用水の圧力低下が検出された場合であって、該圧力低下の検出されたスプリンクラーヘッドに対応する火災感知器からの火災信号がない場合において、機能検出手段にて火災受信盤が正常でないことが検出された場合には、制御弁を開状態としてスプリンクラーヘッドへ消火用水を供給するように構成したので、火災受信盤の電源遮断やＣＰＵ異常等の機能異常が存在する場合には制御弁が開状態に制御され放水が行われるので、火災受信盤の異常時にも放水を行うことができる。したがって火災消火を一層確実かつ安全に行うことができる。
【００４８】
しかも請求項１記載の本発明は、火災受信盤は、断線状態が検出された場合には障害信号をスプリンクラー制御盤に対して出力し、機能検出手段は、感知器回線を流れる電流を所定のパルス状態とし、火災受信盤から送出される障害信号が所定のパルス状態に対応するか否かを判断することにより、火災受信盤が正常であるか否かを検出することにより、火災受信盤側に新たな構成を付加することなく、火災受信盤の正常性を検出することができる。また感知器回線を断線状態とすることが最も簡易な構成であるため、最も低コストで最も信頼性の高い火災受信盤の正常性検出システムを構築することができる。
【００４９】
しかも請求項２記載の本発明は、火災受信盤は断線状態が所定時間以上継続して検出された場合にのみ障害信号を出力し、機能検出手段は感知器回線を所定時間以上継続して断線状態とすることにより、機能検出手段には作り出されたパルス状態に対応した障害信号が、火災受信盤から確実に出力され得る。したがっていわゆる蓄積機能を有する火災受信盤に対してもその正常性を確実に検出することができる。
【００５０】
さらに請求項３記載の本発明は、感知器回線を断線状態とするためのスイッチを感知器回線の終端側に設け、機能検出手段は、スイッチを介して所定のパルス状態を生成することにより、火災感知器から出力された火災信号はスイッチのオンオフ状態に関係なく火災受信盤に到達し、火災感知を不用意に妨げることがない。
【図面の簡単な説明】
【図１】本発明の一実施形態における予作動式のスプリンクラー消火設備の全体構成を示す図である。
【図２】スプリンクラー制御のフローチャートである。
【図３】従来の予作動式スプリンクラー消火設備の全体構成の一例を示す図である。
【図４】従来の別の予作動式スプリンクラー消火設備の全体構成の一例を示す図である。
【符号の説明】
１、５１  スプリンクラーヘッド
２、５２  分岐管
３、５３  給水本管
４、５４  消火ポンプ
５、５５  貯水槽
６、５６  圧力タンク
７、５７  圧力スイッチ
８、５８  ポンプ制御盤
９、５９  モータ
１０、６０  高架水槽
１１、６１  制御弁
１２、７７  流水検知装置
１４、７４  コンプレッサー
１３、１７  圧力検出装置
２０、７０  火災感知器
２１、７１  感知器回線
２２、２９、３１  端子ボックス
２３、７２  火災受信盤
２４、７３  住棟受信盤
２５、６４  スプリンクラー制御盤
２６  スイッチ
２７  機能検出部
２８  制御部
３０  緊急停止スイッチ
３２  電源線
６２  通液装置
【図１】
0003963416.tif 000002
【図２】
0003963416.tif 000003
【図３】
0003963416.tif 000004
【図４】
0003963416.tif 000005